(57)【特許請求の範囲】
【請求項１】
液透過性のトップシートと、液不透過性のバックシートと、前記トップシート及び前記バックシートの間に配置された吸収体と、を有する吸収性物品であって、
前記トップシートは、２枚以上の液透過性の不織布から構成され、
身体側最上層のシートのみに、左右一対の第１の切れ込みが、前記吸収性物品の長手方向に延びる吸収性物品の中心線を中心に左右略対称に形成されており、
前記第１の切れ込みは、略コの字状に形成され、身体側からの平面視で幅方向中心方向又は幅方向外側方向に向かって開口しており、
前記第１の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能であり、
前記第１の切れ込みにおいて、略コの字状の切れ込みの２つの端部を結ぶ直線上に、直線状又は破線状のエンボス部を設け、前記第１の切れ込みが容易に起立するように構成されており、
前記下層に位置するシートが、繊度３ｄｔｅｘ以上２０ｄｔｅｘ以下の繊維を用いたサーマルボンド不織布、ポリエチレンフォーム、ウレタンフォームのいずれかから形成されたシートである、吸収性物品。
【請求項２】
前記吸収性物品が幅方向両端部に立体ギャザーを有し、前記第１の切れ込みが、前記立体ギャザーの前記トップシートとの接合部よりも内側に、長手方向に沿って形成されていることを特徴とする、請求項１に記載の吸収性物品。
【請求項３】
前記第１の切れ込みの幅方向の寸法が５ｍｍ以上５０ｍｍ以下であり、長手方向の寸法は、幅方向の寸法よりも大きい、請求項１又は２に記載の吸収性物品。
【請求項４】
前記第１の切れ込みに加え、前記身体側最上層のシートのみに、第２の切れ込みが、前記吸収性物品の長手方向端部から、前記吸収性物品の長手方向における寸法の３分の１以下の位置に設けられ、
前記第２の切れ込みは、長手方向に直交する方向に設けられるとともに、略コの字状に形成され、身体側からの平面視で長手方向中心方向又は長手方向外側方向に向かって開口しており、
前記第２の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能である、請求項１から３のいずれかに記載の吸収性物品。
【請求項５】
前記第２の切れ込みの長手方向の寸法が５ｍｍ以上５０ｍｍ以下であり、幅方向の寸法は、長手方向の寸法よりも大きい、請求項４に記載の吸収性物品。
【請求項６】
前記第１の切れ込み、及び前記第２の切れ込みに加え、前記身体側最上層のシートのみに、第３の切れ込みが、前記第２の切れ込みよりも、長手方向中心寄りの位置に設けられ、
前記第３の切れ込みは、長手方向に直行する方向に設けられるとともに、略コの字状に形成され、身体側からの平面視で長手方向中心方向又は長手方向外側方向に向かって開口しており、
前記第３の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能である、請求項４又は５に記載の吸収性物品。
【請求項７】
前記身体側最上層のシートが、２枚の不織布が接合している不織布シートから構成される、請求項１から６のいずれかに記載の吸収性物品。
【発明の詳細な説明】
【技術分野】
【０００１】
本発明は、体液の漏れが抑制され、吸収性に優れた吸収性物品に関する。
【背景技術】
【０００２】
一般的に大人用紙おむつには、テープ止めタイプ、尿取りパッド、パンツタイプ等があり、これらの紙おむつは着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつは、それ自体を単独で使用する場合と、その内側に尿取りパッドを併用する場合があるが、現在は、尿取りパッドと併用し、吸収性物品である尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで紙おむつを使用できるためである。
【０００４】
ここで、パンツタイプの紙おむつと併用される尿取りパッドについては、その全体を紙おむつの内装パッドの立体ギャザーの内側に収める必要があるため、尿取りパッドの長さ、幅、面積ともに、テープ止めタイプの紙おむつと併用される尿取りパッドよりも小さくせざるを得ない。そして、尿取りパッドのサイズが小さいために、吸収した尿が広がりやすく、尿取りパッドの前後左右端部から漏れやすいという問題点があった。体液の横漏れや前後漏れを防止する手段としては、従来、典型的には、立体ギャザーを形成する手段が用いられていた。例えば、特許文献１には、トップシートと、バックシートと、吸収体と、サイドフラップとを有する吸収性物品であって、装着時に股下域において、サイドフラップの側縁と折り返し線の間の接着固定された部分を基端部として上方に起立する二重の立体ギャザーが形成されることを特徴とする吸収性物品が開示されている。
【０００５】
しかしながら、立体ギャザーの形成には、立体ギャザーシートや弾性部材等の追加の部材が必要になるとともに、立体ギャザーを形成するための追加の設備も必要になるため、立体ギャザーを有していない吸収性物品に比べ、立体ギャザーを有する吸収性物品はコスト高となる、という問題がある。さらに、立体ギャザーを設けたとしても、立体ギャザーにより横漏れや前後漏れが防止されるのみで、吸収性物品の吸収性能自体については、改善されるものではなかった。
【０００６】
排泄物の吸収性を改善した吸収性物品としては、特許文献２に、トップシートと、バックシートとの間に吸収体を有する吸収性物品において、トップシートに弁状の半開口を複数配列したことを特徴とする吸収性物品が開示されている。
【先行技術文献】
【特許文献】
【０００７】
【特許文献１】特開平１０−１７９６３８号公報
【特許文献２】特開２００３−１２６１４３号公報
【発明の概要】
【発明が解決しようとする課題】
【０００８】
しかしながら、上記の特許文献に記載の吸収性物品については、体液の漏れの防止と、体液の吸収性能の向上とを両立するという面からは、依然として十分なものではなく、特に、軟便や水様便の場合に、吸収性物品からの漏れが生じてしまうおそれがある。したがって、本発明は以上の課題に鑑みてなされたものであり、特に軟便や水様便の場合であっても、体液の漏れが適切に防止されるとともに、体液の吸収性能も向上された吸収性物品を提供することを目的とする。
【課題を解決するための手段】
【０００９】
本発明の発明者らは、上記課題に鑑み、鋭意研究を行った。その結果、トップシートが、２枚以上の液透過性の不織布から構成され、身体側最上層のシートのみに、所定の性状を有する、前後左右の複数の切れ込みが形成され、下層に位置するシートとして、所定の材料から構成されたシートを用いた吸収性物品によれば、上記課題を解決できることを見出し、本発明を完成するに至った。具体的には、本発明は以下のものを提供する。
【００１０】
（１）本発明の第１の態様は、液透過性のトップシートと、液不透過性のバックシートと、前記トップシート及び前記バックシートの間に配置された吸収体と、を有する吸収性物品であって、前記トップシートは、２枚以上の液透過性の不織布から構成され、身体側最上層のシートのみに、左右一対の第１の切れ込みが、前記吸収性物品の長手方向に延びる吸収性物品の中心線を中心に左右略対称に形成されており、前記第１の切れ込みは、略コの字状に形成され、身体側からの平面視で幅方向中心方向又は幅方向外側方向に向かって開口しており、  前記第１の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能であり、前記第１の切れ込みにおいて、略コの字状の切れ込みの２つの端部を結ぶ直線上に、直線状又は破線状のエンボス部を設け、前記第１の切れ込みが容易に起立するように構成されており、前記下層に位置するシートが、繊度３ｄｔｅｘ以上２０ｄｔｅｘ以下の繊維を用いたサーマルボンド不織布、ポリエチレンフォーム、ウレタンフォームのいずれかから形成されたシートである、吸収性物品である。
【００１１】
（２）本発明の第２の態様は、（１）に記載の吸収性物品であって、吸収性物品が幅方向両端部に立体ギャザーを有し、前記第１の切れ込みが、前記立体ギャザーの前記トップシートとの接合部よりも内側に、長手方向に沿って形成されていることを特徴とするものである。
【００１２】
（３）本発明の第３の態様は、（１）又は（２）に記載の吸収性物品であって、第１の切れ込みの幅方向の寸法が５ｍｍ以上５０ｍｍ以下であり、長手方向の寸法は、幅方向の寸法よりも大きいことを特徴とするものである。
【００１３】
（４）本発明の第４の態様は、（１）から（３）のいずれかに記載の吸収性物品であって、前記第１の切れ込みに加え、前記身体側最上層のシートのみに、第２の切れ込みが、前記吸収性物品の長手方向端部から、前記吸収性物品の長手方向における寸法の３分の１以下の位置に設けられ、前記第２の切れ込みは、長手方向に直交する方向に設けられるとともに、略コの字状に形成され、身体側からの平面視で長手方向中心方向又は長手方向外側方向に向かって開口しており、前記第２の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能であることを特徴とするものである。
【００１４】
（５）本発明の第５の態様は、（４）に記載の吸収性物品であって、第２の切れ込みの長手方向の寸法が５ｍｍ以上５０ｍｍ以下であり、幅方向の寸法は、長手方向の寸法よりも大きいことを特徴とするものである。
【００１５】
（６）本発明の第６の態様は、（４）又は（５）に記載の吸収性物品であって、前記第１の切れ込み、及び前記第２の切れ込みに加え、前記身体側最上層のシートのみに、第３の切れ込みが、前記第２の切れ込みよりも、長手方向中心寄りの位置に設けられ、前記第３の切れ込みは、長手方向に直行する方向に設けられるとともに、略コの字状に形成され、身体側からの平面視で長手方向中心方向又は長手方向外側方向に向かって開口しており、前記第３の切れ込み及び開口部の近傍において、前記身体側最上層のシートは、下層に位置するシートに接合されておらず、前記開口部における前記身体側最上層のシートと、前記下層に位置するシートとが、前記吸収性物品の着用時に離間可能であることを特徴とするものである。
【００１６】
（削除）
【００１７】
（７）本発明の第７の態様は、（１）から（６）のいずれかに記載の吸収性物品であって、前記身体側最上層のシートが、２枚の不織布が接合しているシートから構成されることを特徴とするものである。
【発明の効果】
【００１８】
本発明の吸収性物品は、トップシートが２枚以上の液透過性の不織布から構成され、身体側最上層のシートのみに、所定の性状を有する左右一対の第１の切れ込みが、吸収性物品の長手方向に延びる吸収性物品の中心線を中心に左右略対称に形成されているとともに、下層に位置するシートは、所定の材料で構成されたものが用いられる。このため、軟便や水様便が排泄された場合であっても、トップシート上、幅方向に広がった体液を当該第１の切れ込みにより形成される開口部で捕捉することができ、排泄された体液の幅方向端部における横漏れを防止することができる。さらに、本発明の吸収性物品においては、第１の切れ込み及び開口部の近傍において、身体側最上層のシートが、下層に位置するシートと接合されておらず、開口部における身体側最上層のシートと、下層に位置するシートとが、吸収性物品の着用時に離間可能となっている。このため、身体側最上層のシートと離間している、下層に位置するシートの表面から、排泄された体液が迅速に吸収されるので、体液の迅速な吸収を担保することができる。
【図面の簡単な説明】
【００１９】
【図１】本発明の吸収性物品の平面図を示す図面である（実施例１）。
【図２】図１のＸ１−Ｘ１断面図を示す図面である。
【図３】図１のＸ２−Ｘ２断面図を示す図面である。
【図４】本発明の別態様の吸収性物品の平面図を示す図面である。
【図５】図４のＸ３−Ｘ３断面図を示す図面である。
【図６】比較例１の吸収性物品の平面図を示す図面である。
【発明を実施するための形態】
【００２０】
以下、添付図面を参照して、本発明を実施するための形態について、詳細に説明する。なお、本発明の実施形態の説明の全体を通して、同じ要素には同じ符号を付している。
【００２１】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよいが、本発明は、パンツタイプの使い捨ておむつと併用される尿取りパッドに好適に適用される。
【００２２】
図１及び図４は、本発明の吸収性物品１の平面図を示す図面であり、図２は、図１のＸ１−Ｘ１断面図を、図３は、図１のＸ２−Ｘ２断面図を、図５は、図４のＸ３−Ｘ３断面図を示す図面である。吸収性物品１は、身体側表面に配された液透過性のトップシート２１と、トップシート２１に対向して配置された液不透過性のバックシート２２と、トップシート２１とバックシート２２との間に少なくとも１層配置された吸収体２３と、を備えている。
【００２３】
また、吸収性物品１には、使用者の排泄した体液の横漏れを防止するため、吸収性物品１の長手方向に沿って、トップシート２１上の幅方向両端部に、立体ギャザー用弾性部材２４ａを有する一対の立体ギャザー２４を備えていてもよい。吸収性物品１の幅方向における立体ギャザー２４の外端は、バックシート２２に固定され、その内端はトップシート２１に固着され、その中央はトップシート２１に固定されない自由端となるように、立体ギャザーシート２４ｂが配される。立体ギャザー用弾性部材２４ａを長手方向に沿って設けることで、立体ギャザー２４が起立性を有し、着用者の体型に合わせて変形可能なものとなる。立体ギャザー用弾性部材２４ａとしては、例えば、ポリウレタン糸、帯状のポリウレタンフィルム、糸状又は帯状の天然ゴム等が使用され、立体ギャザーシート２４ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２４】
なお、本発明の吸収性物品１は、立体ギャザー２４を備えていてもよいが、図４及び図５に示すように、立体ギャザー２４を備えていなくても、後述する第１の切れ込み２１３及び第２の切れ込み２１４の作用により、体液の横漏れや背漏れが効果的に防止される。
【００２５】
［トップシート］
トップシート２１は、体液が吸収体へと移動するような液透過性を備えた基材から形成すればよく、例えば、サーマルボンド不織布、スパンボンド不織布等の不織布、サーマルボンド／スパンボンドを積層した複合不織布等から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１を構成する不織布１枚あたりの坪量は、１３ｇ／ｍ２以上５０ｇ／ｍ２以下であることが好ましい。トップシート２１の形状としては特に制限はないが、漏れがないように体液を吸収体２３へと誘導するために必要とされる、吸収体２３を覆う形状であればよい。
【００２６】
本発明の吸収性物品１においては、トップシート２１は２枚以上の不織布から構成されている。トップシート２１を構成する不織布の枚数は、２枚以上４枚以下とすることが好ましく、２枚以上３枚以下とすることがより好ましい。また、トップシート２１を構成する２枚以上の不織布については、少なくとも、下層に位置するシート２１２は、繊度３ｄｔｅｘ以上２０ｄｔｅｘ以下の繊維を用いたサーマルボンド不織布、直径２ｍｍ以上５ｍｍ以下の開孔が形成されたサーマルボンド不織布、ポリエチレンフォーム、ウレタンフォームのいずれかから形成されたシートである。これにより、下層に位置するシート２１２の透液性が向上するため、軟便や水様便の場合であっても、便の漏れを生じることなく、体液を十分に吸収することができる。下層に位置するシート２１２の坪量は、１５ｇ／ｍ２以上１００ｇ／ｍ２以下であることが好ましい。
【００２７】
身体側最上層のシート２１１は、身体側最上層の２枚の不織布を接合することにより形成した不織布シートで構成することが好ましい。これにより、身体側最上層のシート２１１の剛性が向上し、後述する第１の切れ込み２１３が起立性を有するものとなる。身体側最上層のシート２１１を一枚のシートから構成する場合には、下層に位置するシート２１２よりも坪量の大きいシートを使用することが好ましく、例えば、２５ｇ／ｍ２以上５０ｇ／ｍ２以下のシートを使用することが好ましい。
【００２８】
（第１の切れ込み）
図１及び図４に示すように、本発明の吸収性物品１のトップシート２１には、身体側最上層のシート２１１のみに、左右一対の第１の切れ込み２１３が、吸収性物品１の長手方向に延びる吸収性物品の中心線Ａを中心として左右略対称に形成されている。すなわち、本発明の吸収性物品１のトップシート２１においては、長手方向に延びる前記吸収性物品の中心線Ａより右寄りの部位と、左寄りの部位とに、当該中心線Ａを中心として略対称の形状を有する、一対の第１の切れ込み２１３が形成されている。このため、トップシート２１上、幅方向に広がった体液を第１の切れ込み２１３により形成される開口部２１５で捕捉することができ、排泄された体液の幅方向端部における横漏れを防止することができる。第１の切れ込み２１３は、略コの字状の形状を有しているが、２箇所の角部は角丸加工がなされていてもよい。２箇所の角部に角丸加工がなされていることにより、吸収性物品１を着用したときに、角部が着用者の肌に刺激を与えることを防止できる。
【００２９】
第１の切れ込み２１３は、身体側からの平面視で、幅方向中心方向又は幅方向外側方向に向かって開口している。第１の切れ込み２１３が、幅方向中心方向又は幅方向外側方向に向かって開口していることにより、幅方向に広がる体液を、第１の切れ込み２１３で捕捉しやすくすることができる。第１の切れ込み２１３は、特に、図１に示すように、幅方向中心方向に向かって開口していることが好ましい。
【００３０】
図２、図３、及び図５に示すように、本発明の吸収性物品１においては、第１の切れ込み２１３及び第１の切れ込み２１３により形成される開口部２１５の近傍において、身体側最上層のシート２１１は、下層に位置するシート２１２に接合されておらず、第１の切れ込み２１３により形成される開口部２１５における身体側最上層のシート２１１と、下層に位置するシート２１２とが、吸収性物品１の着用時に離間可能である。このため、身体側最上層のシート２１１と離間している、下層に位置するシート２１２の表面から、排泄された体液が迅速に吸収される。
【００３１】
ここで、図１に示すように、吸収性物品１に立体ギャザー２４が設けられる場合、第１の切れ込み２１３は、立体ギャザー２４のトップシート２１との接合部よりも内側に、長手方向に沿って形成されていることが好ましい。このような構成を採用することにより、第１の切れ込み２１３により形成される開口部２１５に捕捉されなかった体液を、立体ギャザー２４で捕捉できるほか、立体ギャザー２４の内側に滞留している体液を、身体側最上層のシート２１１から離間した、下層に位置するシート２１２の表面で迅速に吸収することもできる。
【００３２】
第１の切れ込み２１３の幅方向の寸法は、５ｍｍ以上５０ｍｍ以下であることが好ましく、１０ｍｍ以上４０ｍｍ以下であることがより好ましい。また、長手方向の寸法は、幅方向の寸法よりも大きいことが好ましく、３０ｍｍ以上２００ｍｍ以下であることがより好ましい。
【００３３】
（第２の切れ込み）
図１及び図４に示すように、本発明の吸収性物品１のトップシート２１には、身体側最上層のシート２１１のみに、第２の切れ込み２１４が設けられていることが好ましい。第２の切れ込み２１４は、吸収性物品１の長手方向端部から、吸収性物品１の長手方向における寸法の３分の１以下の位置に設けられていることが好ましく、４分の１以下の位置に設けられていることがより好ましい。さらに、第２の切れ込み２１４は、吸収性物品１のもう一方の長手方向端部から長手方向における寸法の３分の１以下の位置に設けられていてもよい（図示せず）。第２の切れ込み２１４は、吸収性物品１の長手方向に直交する方向に沿って設けられるとともに、身体側からの平面視で、長手方向中心方向又は長手方向外側方向に向かって開口していることが好ましい。これにより、トップシート２１上、長手方向に広がった体液を第２の切れ込み２１４により形成される開口部で捕捉することができ、排泄された体液の長手方向端部における前後漏れを防止することができる。また、第２の切れ込み２１４が、長手方向中心方向又は長手方向外側方向に向かって開口していることにより、長手方向に広がる体液を、第２の切れ込み２１４で捕捉しやすくすることができる。図１及び図４に示すように、第２の切れ込み２１４は、特に、長手方向中心方向に向かって開口していることが好ましい。
【００３４】
第２の切れ込み２１４は、略コの字状に形成されていることが好ましいが、２箇所の角部は角丸加工がなされていてもよい。２箇所の角部に角丸加工がなされていることにより、吸収性物品１を着用したときに、角部が着用者の肌に刺激を与えることを防止できる。
【００３５】
本発明の吸収性物品１においては、第２の切れ込み２１４及び第２の切れ込み２１４により形成される開口部の近傍において、身体側最上層のシート２１１は、下層に位置するシート２１２に接合されておらず、第２の切れ込み２１４により形成される開口部における身体側最上層のシート２１１と、下層に位置するシート２１２とが、吸収性物品１の着用時に離間可能である。このため、身体側最上層のシート２１１と離間している、下層に位置するシート２１２の表面から、排泄された体液が迅速に吸収される。
【００３６】
第２の切れ込み２１４の長手方向の寸法は、５ｍｍ以上５０ｍｍ以下であることが好ましく、１０ｍｍ以上４０ｍｍ以下であることがより好ましい。また、幅方向の寸法は、長手方向の寸法よりも大きいことが好ましく、３０ｍｍ以上１５０ｍｍ以下であることがより好ましい。
【００３７】
（第３の切れ込み）
本発明の吸収性物品１においては、第１の切れ込み２１３及び第２の切れ込み２１４に加え、身体側最上層のシート２１１のみに、第３の切れ込み２１６が、第２の切れ込み２１４よりも、長手方向中心寄りの位置に設けられていることが好ましい。この第３の切れ込み２１６は、長手方向に直行する方向に設けられるとともに、略コの字状に形成され、身体側からの平面視で長手方向中心方向又は長手方向外側方向に向かって開口している。そして、第３の切れ込み２１６及びその開口部の近傍において、身体側最上層のシート２１１は、下層に位置するシート２１２に接合されておらず、開口部における身体側最上層のシート２１１と、下層に位置するシート２１２とが、吸収性物品１の着用時に離間可能となっていることが好ましい。このような第３の切れ込み２１６を設けることにより、身体側最上層のシート２１１に多数の開口部が形成されるため、吸収性物品１に軟便や水様便が排泄された場合であっても、第３の切れ込み２１６の開口部で体液がより迅速に捕捉され、吸収性物品１に吸収されて、体液の横漏れ等を効果的に防止することができる。第３の切れ込み２１６は、略コの字状の形状を有しているが、２箇所の角部は角丸加工がなされていてもよい。２箇所の角部に角丸加工がなされていることにより、吸収性物品１を着用したときに、角部が着用者の肌に刺激を与えることを防止できる。
【００３８】
第３の切れ込み２１６の長手方向の寸法は、５ｍｍ以上５０ｍｍ以下であることが好ましく、１０ｍｍ以上４０ｍｍ以下であることがより好ましい。また、幅方向の寸法は、長手方向の寸法よりも大きいことが好ましく、３０ｍｍ以上１５０ｍｍ以下であることがより好ましい。
【００３９】
（エンボス部）
本発明においては、第１の切れ込み２１３、第２の切れ込み２１４、及び第３の切れ込み２１６のそれぞれにおいて、略コの字状の切れ込みの２つの端部を結ぶ直線上に、直線状又は破線状のエンボス部２１７を設け、第１の切れ込み２１３、第２の切れ込み２１４、及び第３の切れ込み２１６が容易に起立するように構成されていることが好ましい。このような構成を採用することにより、第１の切れ込み２１３、第２の切れ込み２１４、及び第３の切れ込み２１６において、身体側最上層のシート２１１と、下層に位置するシート２１２とが離間した状態を、容易に維持することができるため、トップシート２１上の体液を、開口部で捕捉することがより容易になる。
【００４０】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００４１】
強度及び加工性の点から、バックシート２２の坪量は、１５ｇ／ｍ２以上４０ｇ／ｍ２以下であることが好ましい。また、装着時の蒸れを防止するため、バックシート２２は、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００４２】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２３の吸収性繊維は、吸収性能及び肌触りを損なわないよう、１００ｇ／ｍ２以上８００ｇ／ｍ２以下の坪量とすることが好ましい。
【００４３】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、５０ｇ／ｍ２以上５００ｇ／ｍ２以下の坪量とすることが好ましく、１５質量％以上５０質量％以下の含有量とすることが好ましい。
【００４４】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００４５】
吸収体２３は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００４６】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２４をホットメルト系接着剤で固定・一体化する工程、（Ｃ）トップシート２１、立体ギャザー２４、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明においてトップシート２１を積層するに先立って、任意のカッター等により、トップシート２１に第１の切れ込み２１３や第２の切れ込み２１４を形成しておけばよい。
【実施例】
【００４７】
以下、本発明について、実施例を挙げて詳細に説明する。なお、本発明は以下に示す実施例に何ら限定されるものではない。
【００４８】
＜実施例１＞
（吸収体の作製）
パルプシートを粉砕して解繊したフラッフパルプ２０ｇと、高吸収性ポリマー６ｇとをともに積繊した吸収体マットを準備し、長さ４２０ｍｍ、幅１５０ｍｍにカットした。この吸収体をトップシート及びバックシートとともに積層するとともに、一対の横漏れ防止用立体ギャザーを形成し、長さ４８０ｍｍ、幅２００ｍｍの尿取りパッドを作製し、実施例１のサンプルとした。なお、トップシートとしては、身体側にエアスルー不織布（坪量２０ｇ／ｍ２）を２枚と、その下層に８ｄｔｅｘの繊維を用いて調製されたサーマルボンド不織布（３０ｇ／ｍ２）を１枚用い、バックシートとしては、通気性ポリエチレンフィルム（坪量３５ｇ／ｍ２）を用いるとともに、トップシートのうち、身体側のエアスルー不織布を接合して一体化し、身体側最上層となる一体化したエアスルー不織布のみに、長手方向の寸法が１２０ｍｍ、幅方向の寸法が２５ｍｍである、幅方向外側に向かって開口する一対の第１の切れ込み、長手方向の寸法が２５ｍｍ、幅方向の寸法が８０ｍｍである、長手方向中心部に向かって開口する１つの第２の切れ込みを形成するとともに、長手方向の寸法が２５ｍｍ、幅方向の寸法が４５ｍｍである、長手方向中心部に向かって開口する第３の切れ込みを形成した。第１の切れ込み、第２の切れ込み、及び第３の切れ込みにおいて、略コの字状の切れ込みの二つの端部を結ぶ直線上には、直線状のエンボス部を形成するとともに、身体側最上層となる一体化したエアスルー不織布と、その下層となるサーマルボンド不織布とは、第１の切れ込み、第２の切れ込み及び第３の切れ込み、並びにこれらの開口部が離間可能なようにした。得られた尿取りパッドの概要を図１から図３に示す。得られた尿取りパッドの吸収速度、液戻り量を以下に従って測定・評価するとともに、モニターテストの官能評価により、横漏れし難さ、背漏れし難さを評価した。得られた結果を表１に示す。
【００４９】
（吸収速度）
外径８０ｍｍの円柱の中央に内径７５ｍｍの穴が開いており、重さ１００ｇとした測定冶具を、トップシートを上に向けた状態で、尿取りパッドの長手方向、かつ幅方向の中央部の上に置き、上部の穴から生理食塩水１５０ｍｌを投下し、生理食塩水が尿取りパッドに接触した時点から、測定治具中央円内の円周に生理食塩水が完全に吸い込まれるまでを終点として時間を計測し、吸収速度とした。
【００５０】
（液戻り量）
吸収性物品の中央に生理食塩水３００ｍｌを注入し、１０分経過後に、あらかじめ重量を測定したろ紙（ＡＤＶＡＮＴＥＣ社製Ｎｏ．２ろ紙、直径５５ｍｍ）を注入部の中心に置き、ろ紙の上に６８７ｇの錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００５１】
（尿漏れし難さ）
２０名のパネラーにより、吸収性物品の着用時の尿漏れについて、「尿漏れがある」又は「尿漏れがない」の選択で調査を行い、以下の基準により評価を行った。
◎：「尿漏れがない」が１６人以上２０人以下のとき
○：「尿漏れがない」が１１人以上１５人以下のとき
△：「尿漏れがない」が６人以上１０人以下のとき
×：「尿漏れがない」がいないか、１人以上５人以下の時
【００５２】
（便漏れし難さ）
２０名のパネラーにより、吸収性物品の着用時の便漏れについて、「便漏れがある」又は「便漏れがない」の選択で調査を行い、以下の基準により評価を行った。
◎：「便漏れがない」が１６人以上２０人以下のとき
○：「便漏れがない」が１１人以上１５人以下のとき
△：「便漏れがない」が６人以上１０人以下のとき
×：「便漏れがない」がいないか、１人以上５人以下の時
【００５３】
＜比較例１＞
図５に示すように、第１の切れ込み、第２の切れ込み、及び第３の切れ込みを形成しなかった点以外は、実施例１と同様の方法により、尿とりパッドを作製して、比較例１のサンプルとし、実施例１と同一の試験・評価を行った。得られた結果を表１に示す。
【００５４】
以上の結果を表１に示す。
【表１】
0006746848.tif 000002
【００５５】
表１に示すように、実施例１の吸収性物品においては、第１の切れ込み、第２の切れ込み、及び第３の切れ込みを形成していない比較例１の吸収性物品と比較して、吸収速度が有意に向上するとともに、尿漏れや便漏れについても、より改善されたものとなった。特に、実施例１の吸収性物品では、下層に位置するシートを所定の材質から構成されるものとしたので、尿漏れや便漏れは、効果的に抑制された。このような結果より、本発明によれば、体液の漏れが適切に防止されるとともに、体液の吸収性能も向上した吸収性物品を提供可能であることが分かる。
【符号の説明】
【００５６】
１        吸収性物品
２１      トップシート
２１１    身体側最上層のシート
２１２    下層に位置するシート
２１３    第１の切れ込み
２１４    第２の切れ込み
２１５    第１の切れ込みにより形成される開口部
２１６    第３の切れ込み
２１７    エンボス部
２２      バックシート
２３      吸収体
２４      立体ギャザー
２４ａ    立体ギャザー用弾性部材
２４ｂ    立体ギャザーシート
Ａ        長手方向に延びる吸収性物品の中心線
Ｙ        長手方向
Ｘ        幅方向
【図１】
0006746848.tif 000003
【図２】
0006746848.tif 000004
【図３】
0006746848.tif 000005
【図４】
0006746848.tif 000006
【図５】
0006746848.tif 000007
【図６】
0006746848.tif 000008